(57)【要約】【課題】  リールユニット及び主制御基板の筐体内への取り付け作業及び配線作業を容易に行うことができるようにする。【解決手段】  リールユニット６は、筐体２内に着脱自在に取付可能なリール枠体６１と、リール枠体６１に支持され、回転することにより外周面に付記された識別情報を変動表示可能な回転リール６２とを含み、リール枠体６１の後部に、ほぼ垂直方向を向く取付部６１ｅを立設するとともに、取付部６１ｅに、遊技を統括的に制御する主制御基板９を実装面が前面になるように固定する。    【選択図】  図４
2006034811.tif 000002
【特許請求の範囲】
【請求項１】
前面が開放した筐体と、該筐体の前面に開閉可能に設けられる前扉と、前記筐体内に収容され、複数の識別情報を変動表示可能なリールユニットとを備えた遊技機において、
前記リールユニットは、前記筐体内に着脱自在に取付可能なリール枠体と、該リール枠体に支持され、回転することにより外周面に付記された前記識別情報を変動表示可能な回転リールとを含み、前記リール枠体の後部に、ほぼ垂直方向を向く取付部を立設するとともに、該取付部に、遊技を統括的に制御する主制御基板を実装面が前面になるように固定したことを特徴とする遊技機。
【請求項２】
リール枠体における回転リールの側方に、主制御基板の制御信号に基づいて、遊技情報に係わる制御信号を出力可能な副制御基板を縦置き配置したことを特徴とする請求項１記載の遊技機。
【請求項３】
リール枠体における副制御基板が設けられた側と反対側の回転リールの側方に、副制御基板の制御信号に基づいて、前扉に設けられ、遊技情報を表示可能な表示手段に、表示信号を出力可能な表示制御基板を縦置き配置したことを特徴とする請求項２記載の遊技機。
【請求項４】
リール枠体の前部に、取手を設けたことを特徴とする請求項１〜３のいずれかに記載の遊技機。
【発明の詳細な説明】
【技術分野】
【０００１】
本発明は、筐体内に複数の識別情報を変動表示可能なリールユニットを設けた遊技機に関する。
【背景技術】
【０００２】
遊技機としてのスロットマシンにおいては、前面が開放した筐体と、筐体の前面に開閉可能に設けられる前扉とを備え、筐体内には、複数の識別情報を変動表示可能なリールユニットや遊技を統括的に制御する主制御基板等の多数の装置が収容されている（例えば、特許文献１参照）。
【特許文献１】特開２００１−１２０７１０号公報
【発明の開示】
【発明が解決しようとする課題】
【０００３】
しかし、上述のような遊技機においては、特に、リールユニットと主制御基板とを筐体内に取り付ける際、リールユニットと主制御基板とを別々に筐体内に取り付けていたため、それらの取り付け作業が面倒であるとともに、主制御基板とリールユニットに設けられる電気機器との電気的接続を、狭い筐体内で行なう必要があり、配線作業が面倒である。
【０００４】
本発明は、従来の問題に鑑み、リールユニット及び主制御基板の筐体内への取り付け作業及び配線作業を容易に行うことができるようにした遊技機を提供することを目的とする。
【課題を解決するための手段】
【０００５】
本発明によると、上記課題は、次のようにして解決される。
（１）前面が開放した筐体と、該筐体の前面に開閉可能に設けられる前扉と、前記筐体内に収容され、複数の識別情報を変動表示可能なリールユニットとを備えた遊技機において、前記リールユニットは、前記筐体内に着脱自在に取付可能なリール枠体と、該リール枠体に支持され、回転することにより外周面に付記された前記識別情報を変動表示可能な回転リールとを含み、前記リール枠体の後部に、ほぼ垂直方向を向く取付部を立設するとともに、該取付部に、遊技を統括的に制御する主制御基板を実装面が前面になるように固定する。
【０００６】
（２）上記(１)項において、リール枠体における回転リールの側方に、主制御基板の制御信号に基づいて、遊技情報に係わる制御信号を出力可能な副制御基板を縦置き配置する。
【０００７】
（３）上記(２)項において、リール枠体における副制御基板が設けられた側と反対側の回転リールの側方に、副制御基板の制御信号に基づいて、前扉に設けられ、遊技情報を表示可能な表示手段に、表示信号を出力可能な表示制御基板を縦置き配置する。
【０００８】
（４）上記(１)〜(３)項のいずれかにおいて、リール枠体の前部に、取手を設ける。
【発明の効果】
【０００９】
本発明によれば、次のような効果が奏せられる。
（ａ）請求項１記載の発明によると、主制御基板とリールユニットとを同時に筐体内に取り付けることができるため、取り付け作業の向上を図ることができる。また、主制御基板とリールユニットに設けられる各種制御基板とを、筐体内に取り付ける前に、予め電気的に接続できるので、配線作業の効率化を図ることができる。
【００１０】
（ｂ）請求項２記載の発明によると、リール枠体における回転リールの側方に副制御基板を縦置き配置したことにより、副制御基板を狭い取り付けスペースに取り付けることができるとともに、主制御基板と副制御基板とを、筐体内に取り付ける前に、予め電気的に接続できるので、配線作業の効率化をより図ることができる。
【００１１】
（ｃ）請求項３記載の発明によると、リール枠体における副制御基板が設けられた側と反対側の回転リールの側方に、表示制御基板を縦置き配置したことにより、表示制御基板を狭い取り付けスペースに取り付けることができるとともに、副制御基板と表示制御基板とを、筐体内に取り付ける前に、予め電気的に接続できるので、配線作業の効率化をより図ることができる。
【００１２】
（ｄ）請求項４記載の発明によると、リール枠体の前部に、取手を設けたことにより、リールユニットを筐体内に出し入れする場合等、リール枠体に取り付けられた各制御基板に手等が触れることなく、安全に作業を行うことができる。
【発明を実施するための最良の形態】
【００１３】
以下、本発明の一実施形態を、図面に基づいて説明する。図１は、本発明を適用した遊技機の正面図、図２は、前扉を開けた状態の遊技機の正面図、図３は、前扉を開けた状態の遊技機の分解側面図、図４は、前扉を開けた状態の遊技機の分解斜視図、図５は、制御回路のブロック図である。なお、以下の説明では、図１、２において紙面手前側及び図３において左方を遊技機の「前方」とし、図１、２において紙面奥側及び図３において右方を同じく「後方」とし、図１、２において左側及び図３において紙面奥側を同じく「左方」とし、図１、２において右側及び図３において紙面手前側を同じく「右方」とする。
【００１４】
遊技機(１)としてのスロットマシンは、前面が開放した正面視矩形の筐体(２)と、筐体(２)の左側板(2c)における前端部に上下方向を向く上下１対のヒンジ軸(４)により開閉可能に枢支された前扉(３)とを備える。
【００１５】
筐体(２)内の上下方向ほぼ中央には、筐体(２)の内部を上下に仕切る水平な中板(５)が架設され、この中板(５)の上面には、後述のリールユニット(６)におけるリール枠体(61)の後部を中板(５)に着脱自在に固定するための左右１対の係合部(51)（図４において、右側の係合部(51)は記載されているが、左側の係合部(51)はリールユニット(６)の後側に隠れている）が設けられている。係合部(51)は、中板(５)の上面の一部を切り起こすことによって形成され、前後方向が開口するトンネル状をなしている。
【００１６】
前扉(３)は、閉状態にあるとき、前扉(３)の右部後面に設けられた上下のロック機構(７)が筐体(２)の右側板(2d)に設けられた係合部(図示略)に係合することにより、所定のキー等を使用しない限り開けられないようになっている。
【００１７】
なお、本実施形態において、遊技機(１)を遊技媒体がメダル（コインを含む）とするスロットマシンとして説明するが、本発明は、これに特定されるものでなく、遊技機(１)を遊技媒体がパチンコ玉であるパチンコ機またはスロットマシンとしても良い。
【００１８】
筐体(２)内には、複数種類の図柄、数字等で構成される識別情報を変動及び停止表示可能なリールユニット(６)と、遊技媒体であるメダルを貯留及び払出可能なホッパーユニット(８)と、各種電気機器へ電力を供給する電源装置(12)とが収容される。なお、リールユニット(６)は、中板(５)上に固定され、ホッパーユニット(８)及び電源装置(12)は、筐体(２)の底板(2b)上に固定される。
【００１９】
リールユニット(６)には、遊技進行が予めプログラムされ、遊技を統括的に制御する主制御基板(９)と、主制御基板(９)から出力される制御信号に基づいて、遊技情報及び演出情報を出力可能な副制御基板(10)と、主制御基板(９)の制御信号を、リールユニット(６)における後述の各回転リール(62)を回転させる各モータ(63)（図５参照）に出力可能な回転リール中継基板(11)と、副制御基板(10)の制御信号に基づいて、前扉(３)に設けられ、各種遊技情報を表示可能な表示手段をなす液晶表示器(15)に表示信号を出力可能な表示制御基板(13)とが取り付けられている。
【００２０】
リールユニット(６)は、中板(５)の上面に着脱自在に取り付けられるリール枠体(61)と、リール枠体(61)内に左右方向を向く軸（図示略）により枢支され、外周面に識別情報が印刷または貼付された左、中、右の３個の回転リール(62)と、各回転リール(62)を回転させるためのモータ(63)とを有している。なお、モータ(63)は、各回転リール(62)の内側に設けられている。
【００２１】
なお、リールユニット(６)は、本実施形態に特定されるものでなく、３個の回転リール(62)に代えて、ループ状の３本のベルトにそれぞれの識別情報を印刷または貼付し、この３本のベルトを各リールによりそれぞれ回走させるようにした、ベルト式にしても良い。
【００２２】
リール枠体(61)は、底部を形成する底板部(61a)、上部を形成する天板部(61b)、側部を形成する両側板部(61c)(61d)、及び天板部(61b)の後部より上方へ立設されたほぼ垂直方向の取付部(61e)を有し、両側板部(61c)(61d)間には、３個の回転リール(62)がそれぞれ回転可能に枢支され、また、天板部(61b)の前端部には、上向きの取手(61f)が折曲形成されている。
【００２３】
リール枠体(61)の底板(61a)の後端部には、中板(５)の上面に設けられた左右の係合部(51)に対して、前方から係脱可能な左右の舌片部（図示略）が設けられている。各舌片部は、各係合部(51)に対して左右及び上下方向に係合することにより、リール枠体(61)の後部を中板(５)の上面に固定することができる。
【００２４】
リール枠体(61)における底板(61a)の前端面には、合成樹脂製の後方を向くスナップピン(14)が嵌合されている。このスナップピン(14)は、中板(５)の前端面に設けられた嵌合孔（図示略）に着脱可能で、嵌合孔に前方から嵌合することにより、リール枠体(61)の前部を中板(５)に対して固定することができる。また、スナップピン(14)を前方へ引っ張って嵌合孔から抜くことにより、リール枠体(61)を、前方へ引き出して、中板(５)から取り外すことができる。なお、リールユニット(６)は、図３、４に示すように、前扉(３)を前方へ大きく開けた状態で、中板(５)上に載せた状態で後方へ押し込みことにより、中板(５)上に固定される。
【００２５】
主制御基板(９)は、実装面が前面になるように、リール枠体(61)の取付部(61e)に固定される。主制御基板(９)の実装面を前面とすることにより、リールユニット(６)を筐体(２)内に取り付けた後でも、主制御基板(９)の検査を迅速に行うことができる。なお、主制御基板(９)は、透明な主基板ボックス(98)により覆われている。
【００２６】
主制御基板(９)の実装面における主基板ボックス(98)により覆われていない領域には、左側から電源入力コネクタ(91)、副制御基板出力コネクタ(92)、表示出力コネクタ(93)、スイッチ入力コネクタ(94)、回転リール出力コネクタ(95)、外部集中出力コネクタ(96)、検査用コネクタ(97)が実装されている。
【００２７】
副制御基板(10)は、リール枠体(61)内における左の回転リール(62)の左方に縦置き配置され、電気的接続ケーブル（図示略）により、主制御基板(９)の副制御基板出力コネクタ(92)に接続される。これにより、副制御基板(10)を、狭い取り付けスペースに取り付けることができるとともに、主制御基板(９)と副制御基板(10)とを、筐体(２)内に収容する前に、予め電気的に接続することができる。
【００２８】
回転リール中継基板(11)は、リール枠体(61)の天板部(61b)上に横置きに載置され、電気的接続ケーブル（図示略）により、主制御基板(９)の回転リール出力コネクタ(95)に接続される。これにより、主制御基板(９)と回転リール中継基板(11)とを、筐体(２)内に収容する前に、予め電気的に接続することができる。
【００２９】
表示制御基板(13)は、リール枠体(61)内における右の回転リール(62)の右方に縦置き配置され、電気的接続ケーブル（図示略）により、副制御基板(10)に接続される。これにより、表示制御基板(13)を、狭い取り付けスペースに取り付けることができるとともに、副制御基板(10)と表示制御基板(13)とを、筐体(２)内に収容する前に、予め電気的に接続することができる。
【００３０】
図３、４に示すように、前扉(３)の後面側には、各種遊技情報及び演出を表示可能な表示手段をなす液晶表示器(15)と、有効ライン（上段、中段、下段の３本の水平線と２本の対角線）数を表示可能な発光ダイオード等を実装した有効ライン表示基板(16)と、各種遊技案内を表示可能な発光ダイオード等を実装した遊技情報表示基板(17)と、左右のスピーカ(18)と、各種遊技情報を表示可能な７セグメント発光ダイオード等を実装した中部基板(19)と、後述のメダル投入部(31)に投入されたメダルの真偽を検出し、真のメダルのみをホッパーユニット(８)内に誘導可能なメダルセレクター(20)とが設けられている。
【００３１】
図１に示すように、前扉(３)の前面には、上部のパネル(32)と、下部のパネル(33)とが嵌め込まれている。上部のパネル(32)には、液晶表示器(15)に表示される遊技情報及び演出情報を透視可能な遊技情報表示窓(32a)が設けられ、また、下部のパネル(33)には、各回転リール(62)の識別情報を３こまずつ透視可能な識別情報表示窓(33a)と、有効ライン表示基板(16)により表示される有効ライン数を透視可能な５個の有効ライン表示窓(33b)と、遊技情報表示器板(17)により表示される遊技情報を透視可能な３個の遊技案内表示窓(33c)と、中部基板(19)により表示される各種遊技情報を透視可能な複数の遊技情報表示窓(33d)とが設けられている。
【００３２】
下部のパネル(33)の下方には、遊技を開始するときにメダルが投入されるメダル投入部(31)と、メダルの賭数を最大限（３枚）に設定するＭＡＸベットボタン(34)と、メダルの賭数を１枚に設定する１枚ベットボタン(35)と、全ての回転リール(62)を回転させるときに操作されるスタートレバー(36)と、各回転リール(62)の回転を個別に停止させるときに操作される３個のストップボタン(37)と、遊技を精算するときに操作される精算ボタン(38)とが設けられている。
【００３３】
なお、ＭＡＸベットボタン(34)、１枚ベットボタン(35)、スタートレバー(36)、各ストップボタン(37)及び精算ボタン(38)の内部には、ＭＡＸベットスイッチ(34a)、１枚ベットスイッチ(35a)、スタートスイッチ(36a)、ストップスイッチ(37a)、精算スイッチ(38a)がそれぞれ内蔵されている。
【００３４】
次に、遊技機(１)の遊技方法について簡単に説明する。遊技者がメダルをメダル投入部(31)に所定枚数投入して、ＭＡＸベットボタン(34)（または、１枚ベットボタン(35)）及びスタートレバー(36)を順次操作して、各回転リール(62)を一斉に回転させ、所定時間経過後に各回転リール(62)に対応する各ストップボタン(37)を順次操作して、各回転リール(62)を停止させる。なお、メダル投入部(31)に投入されたメダルは、所定数（例えば、５０枚）を上限として、主制御基板(９)に設けられたメモリーに記憶され、クレジット数として貯留されるようになっている。
【００３５】
各回転リール(62)が停止したときの、識別情報表示窓(33a)に表示される左、中、右の識別情報の有効ラインに並ぶ組み合わせにより、入賞の有無、及び賞の大小に応じたメダルの配当枚数が決定され、入賞の場合には入賞の大小に応じたメダルがホッパーユニット(８)から前扉(３)の受皿部(3a)に払い出される。また、入賞のうち大当りとなった場合には、前扉(３)に設けられたトップランプ(39)、左右のサイドランプ(40)を点灯または点滅させたり、所定の効果音をスピーカ(18)から発生させたり、液晶表示器(15)により遊技情報表示窓(32a)に大当りに関する遊技情報を表示させる等して演出効果を高めるとともに、予め定めたボーナスゲームに移行し、遊技者は短時間に大量のメダルを得ることができる。
【００３６】
次に、図５に示す制御回路のブロック図を参照しつつ制御について説明する。主制御基板(９)の電源入力コネクタ(91)は、電気的接続ケーブル（図示略）により、電源装置(12)に接続されて電力を入力するとともに、主制御基板(９)のメダル払出制御信号を、電源装置(12)を経由させて、ホッパーユニット(８)に取り付けられた払出制御基板(8a)へ出力する。ホッパーユニット(８)は、遊技が入賞した場合等、主制御基板(９)の払出制御信号に基づいてメダル払出駆動を実行するとともに、センサー（図示略）により払い出しを検出して、その検出信号を主制御基板(９)に出力する。
【００３７】
主制御基板(９)の副制御基板出力コネクタ(92)は、電気的接続ケーブル（図示略）により、副制御基板(10)に接続され、表示及び演出に係わる制御信号を副制御基板(10)へ出力する。
【００３８】
副制御基板(10)は、電気的接続ケーブル（図示略）により、スピーカ(18)に接続され、主制御基板(９)の制御に基づいて、音声信号を出力する。スピーカ(18)は、入賞した場合等、所定の効果音を発生する等して、遊技時の演出効果を高める。さらに、副制御基板(10)は、電気的接続ケーブル（図示略）により、表示制御基板(13)、トップランプ(39)及びサイドランプ(40)に接続され、主制御基板(９)の制御に基づいて、遊技情報及び演出情報に係わる制御信号を出力する。表示制御基板(13)に入力された制御信号は、画像信号に変換されて液晶表示器(15)に出力される。
【００３９】
主制御基板(９)の表示出力コネクタ(93)は、電気的接続ケーブル（図示略）により、中部基板(19)に接続され、主制御基板(９)の制御に基づく遊技情報信号を中部基板(19)に出力する。中部基板(19)は、主制御基板(９)の遊技情報信号に基づいて、７セグメント発光ダイオード等を発光させて、遊技情報表示窓(33d)に各種遊技情報を表示する。
【００４０】
主制御基板(９)のスイッチ入力コネクタ(94)は、電気的接続ケーブル（図示略）により、ＭＡＸベットスイッチ(34a)、１枚ベットスイッチ(35a)、スタートスイッチ(36a)、ストップスイッチ(37a)及び精算スイッチ(38a)に接続され、各スイッチの操作信号が入力されることにより、主制御基板(９)は、所定の制御を実行して各種制御信号を出力する。
【００４１】
主制御基板(９)の回転リール出力コネクタ(95)は、電気的接続ケーブル（図示略）により、回転リール中継基板(11)を介して各モータ(63)に接続される。主制御基板(９)は、予め記憶された数値データ更新手段に基づく入賞か否かの抽選結果に係わる制御信号に基づいて、各モータ(63)を回転制御するとともに、各回転リール(62)の回転位置を検出するセンサーの出力に基づいて停止制御する。なお、入賞か否かは、スタートレバー(36)の操作によるスタートスイッチ(36a)のスタート信号が主制御基板(９)に入力された時点で、数値データ更新データにより抽選されて決定される。
【００４２】
主制御基板(９)の外部集中出力コネクタ(96)は、遊戯施設に据え付けられる多数の遊技機を集中管理するホールコンピュータ(41)に接続される。また、検査用コネクタ(97)は、検査のために使用されるもので、通常は何も接続されない。
【００４３】
以上により、本実施形態において、リールユニット(６)は、筐体(２)内に着脱自在に取付可能なリール枠体(61)と、リール枠体(61)に支持され、回転することにより外周面に付記された識別情報を変動表示可能な回転リール(62)とを含み、リール枠体(61)の後部に、ほぼ垂直方向を向く取付部(61e)を立設するとともに、取付部(61e)に、遊技を統括的に制御する主制御基板(９)を実装面が前面になるように固定したことにより、主制御基板(９)とリールユニット(６)とを同時に筐体(２)内に取り付けることができ、取り付け作業の向上を図ることができる。また、主制御基板(９)とリールユニット(６)に設けられる各種制御基板とを、予め電気的接続ケーブルにより接続できるので、配線作業の効率化を図ることができる。
【００４４】
また、リール枠体(61)における回転リール(62)の側方に、主制御基板(９)の制御信号に基づいて、遊技情報に係わる制御信号を出力可能な副制御基板(10)を縦置き配置したことにより、副制御基板(10)を、狭い取り付けスペースに取り付けることができるとともに、主制御基板(９)と副制御基板(10)とを、筐体(２)内に収容する前に、予め電気的接続ケーブルにより接続することができ、配線作業の効率化を図ることができる。
【００４５】
リール枠体(61)における副制御基板(10)が設けられた側と反対側の回転リール(62)の側方に、副制御基板(10)の表示信号に基づいて、前扉(３)に設けられ、遊技情報を表示可能な液晶表示器(15)に、表示信号を出力可能な表示制御基板(13)を縦置き配置したことにより、表示制御基板(13)を、狭い取り付けスペースに取り付けることができるとともに、副制御基板(10)と表示制御基板(13)とを、筐体(２)内に収容する前に、予め電気的接続ケーブルにより接続することができ、配線作業の効率化をより図ることができる。
【００４６】
さらには、リール枠体(61)の前部に、取手(61f)を設けたことにより、リールユニット(６)を筐体(２)内に取り付け、取り外し作業を行なう場合、筐体(２)内に手を奥深く入れる必要性がないので、リール枠体(61)に取り付けられた各種基板に手等が触れることがなく、安全にリールユニット(６)の取り付け、取り外し作業を行うことができる。
【図面の簡単な説明】
【００４７】
【図１】本発明を適用した遊技機の正面図である。
【図２】同じく前扉を開けた状態の遊技機の正面図である。
【図３】同じく前扉を開けた状態の遊技機の分解側面図である。
【図４】同じく前扉を開けた状態の遊技機の分解斜視図である。
【図５】遊技機に係わる制御回路のブロック図である。
【符号の説明】
【００４８】
(１)遊技機
(２)筐体
(2b)底板
(2c)左側板
(2d)右側板
(３)前扉
(3a)受皿部
(４)ヒンジ軸
(５)中板
(６)リールユニット
(７)ロック機構
(８)ホッパーユニット
(９)主制御基板
(10)副制御基板
(11)回転リール中継基板
(12)電源装置
(13)表示制御基板
(14)スナップピン
(15)液晶表示器（表示手段）
(16)有効ライン表示基板
(17)遊技情報表示基板
(18)スピーカ
(19)中部基板
(20)メダルセレクター
(31)メダル投入部
(32)上部のパネル
(32a)遊技情報表示窓
(33)下部のパネル
(33a)識別情報表示窓
(33b)有効ライン表示窓
(33c)遊技案内表示窓
(33d)遊技情報表示窓
(34)ＭＡＸベットボタン
(34a)ＭＡＸベットスイッチ
(35)１枚ベットボタン
(35a)１枚ベットスイッチ
(36)スタートレバー
(36a)スタートスイッチ
(37)ストップボタン
(37a)ストップスイッチ
(38)精算ボタン
(38a)精算スイッチ
(39)トップランプ
(40)サイドランプ
(41)ホールコンピュータ
(51)係合部
(61)リール枠体
(61a)底板部
(61b)天板部
(61c)(61d)側板部
(61e)取付部
(61f)取手
(62)回転リール
(63)モータ
(91)電源入力コネクタ
(92)副制御基板出力コネクタ
(93)表示出力コネクタ
(94)スイッチ入力コネクタ
(95)回転リール出力コネクタ
(96)外部出力コネクタ
(97)検査用コネクタ
(98)主基板ボックス
【図１】
2006034811.tif 000003
【図２】
2006034811.tif 000004
【図３】
2006034811.tif 000005
【図４】
2006034811.tif 000006
【図５】
2006034811.tif 000007